(57)【要約】【課題】  従来の魚群探知機の表示では、縦方向スケールと横方向スケールの比率が一定ではなく、感覚的に表示画面が見にくいという点である。【解決手段】  第１のメモリ１０から読み出された反射波信号によって深度レンジデータ出力部１７で深度レンジデータを作成し、第１のメモリ１０から読み出された船速データ付き反射波信号は横尺計算部１８に入力され、深度に応じた横尺が計算され、この計算値に応じて横尺の伸縮度が横尺伸縮部１９で、表示装置１６で表示される画像の横幅の伸縮度が計算され、第１のメモリ１０から読み出された反射波信号は計算された伸縮度に応じて伸縮され、この伸縮された反射波信号は第２のメモリ２０に入力され、第２のメモリ２０から読み出された伸縮された反射波信号は伸縮画像作成部２１に入力されて画像信号に変換され、表示装置１６で図２のＢで示された画面の水底Ｃは、図２の深度に応じて横尺度が一致され、図３の水底Ｄで示すように、深度と一致した横尺度に伸縮されるので、実際の地形に近い表示になる。【選択図】図１
2011257208.tif 000002
【特許請求の範囲】
【請求項１】
ＧＰＳアンテナが設けられ、自船の位置情報と自船の速度を検出するＧＰＳ受信器と、水中に超音波を送信する超音波振動子と、該超音波振動子に発振出力を印可する送信部と、前記超音波振動子で受波した水中からのエコー信号を増幅する受信部と、前記送信部からの発信信号で超音波振動子から超音波を送信し、送信した超音波の反射波を受信する受信部とを制御し、前記受信部で受信した反射波信号を出力する制御部と、該制御部からの反射波信号と前記ＧＰＳ受信器からの船速信号を記憶する第１のメモリと、該第１のメモリから読み出された反射波信号によって画像を作成する画像作成部と、該画像作成部から画像信号を表示する表示装置と、前記第１のメモリに記憶された反射波信号によって深度レンジデータを出力する深度レンジデータ出力部と、前記第１のメモリから読み出された船速情報と反射波データによって表示画像の横方向の尺度を計算する横尺計算部と、該横尺計算部からの横尺度信号で横尺度の伸縮を計算する横尺伸縮部と、該横尺伸縮部からの信号によって反射波データを伸縮して記憶する第２のメモリと、該第２のメモリから伸縮された前記反射波データによって画像を作成する伸縮画像作成部とからなり、該伸縮画像作成部からの画像を前記表示装置で表示することによって、深度レンジに合わせて画像の横方向尺度を伸縮することを特徴とするＧＰＳ魚群探知装置。
【発明の詳細な説明】
【技術分野】
【０００１】
本発明は、横方向の描画スケールを深度スケールに合わせるようにした魚群探知装置に関するものである。
【背景技術】
【０００２】
従来、このような魚群探知機では、図３に示すように、発振器１からの発信出力によって超音波振動子２から水中に照射した超音波の反射波を超音波振動子２で受信し、この反射波を受信器３で増幅して、Ａ／Ｄ変換器４でデジタル信号に変換し、このデジタル信号を一旦メモリ５で記憶し、このメモリ５に記憶された信号を順次読み出して画像信号変換器６に入力して画像信号に変換し、この画像信号変換器６の出力を、図４に示すように、水面Ａ１、水底Ａ３及び魚群Ａ２のように表示装置７で表示するようにしている。
【０００３】
しかしながら、このように構成された従来の魚群探知機では、表示装置７で表示した表示画面Ａでは、横方向の描画はレンジに応じて描画ドット数が一定であるが、ユーザーは使用場所に応じて深度スケールを変更するため、縦方向スケールと横方向スケールの比率が一定ではなく、感覚的に表示画面が見にくいという欠点があった。
【先行技術文献】
【特許文献】
【０００４】
【特許文献１】特開２００４−１７０１６９号公報
【発明の概要】
【発明が解決しようとする課題】
【０００５】
解決しようとする問題点は、従来の魚群探知機の表示では、縦方向スケールと横方向スケールの比率が一定ではなく、感覚的に表示画面が見にくいという点である。
【課題を解決するための手段】
【０００６】
本発明は、ＧＰＳアンテナが設けられ、自船の位置情報と自船の速度を検出するＧＰＳ受信器と、水中に超音波を送信する超音波振動子と、該超音波振動子に発振出力を印可する送信部と、前記超音波振動子で受波した水中からのエコー信号を増幅する受信部と、前記送信部からの発信信号で超音波振動子から超音波を送信し、送信した超音波の反射波を受信する受信部とを制御し、前記受信部で受信した反射波信号を出力する制御部と、該制御部からの反射波信号と前記ＧＰＳ受信器からの船速信号を記憶する第１のメモリと、該第１のメモリから読み出された反射波信号によって画像を作成する画像作成部と、該画像作成部から画像信号を表示する表示装置と、前記第１のメモリに記憶された反射波信号によって深度レンジデータを出力する深度レンジデータ出力部と、前記第１のメモリから読み出された船速情報と反射波データによって表示画像の横方向の尺度を計算する横尺計算部と、該横尺計算部からの横尺度信号で横尺度の伸縮を計算する横尺伸縮部と、該横尺伸縮部からの信号で反射波データを伸縮して記憶する第２のメモリと、該第２のメモリから伸縮された前記反射波データによって画像を作成する伸縮画像作成部とからなり、該伸縮画像作成部からの画像を前記表示装置で表示することによって、深度レンジに合わせて画像の横方向尺度を伸縮するものである。
【発明の効果】
【０００７】
本発明の魚群探知装置では、ユーザーが使用している深度スケールに合わせて横スケールを可変させるため、過去の表示記録の任意の地点までの距離が把握し易いという利点があり、従って、過去の魚群までの距離が分かり易いため、操船時に役に立つという利点があり、さらに、海底地形の変化が実際の地形に近い形で表示されるため、表示された地形が感覚的に理解し易いという利点がある。
【図面の簡単な説明】
【０００８】
【図１】図１は本発明の魚群探知装置のブロック図である。（実施例１）
【図２】図２は深度レンジに合わせて画像を伸縮する前の図である。
【図３】図３は深度レンジに合わせて画像を伸縮した図である。
【図４】図４は従来の魚群探知装置のブロック図である。
【図５】図５は従来の魚群探知装置の表示装置の表示画面を示した図である。
【発明を実施するための形態】
【０００９】
第１のメモリから読み出された反射波信号によって画像作成部で画像を作成し、表示装置で表示し、第１のメモリに記憶されたエコー信号によって深度レンジデータ出力部から深度レンジデータを出力し、第１のメモリから船速情報付き反射波データを読み出し、深度レンジデータ出力部からの深度レンジデータと第１のメモリからの船速データ付き反射波データによって、横尺計算部で表示画像の横方向の尺度を計算し、横尺計算部からの信号によって船速情報付き反射波データを横伸縮部で伸縮し、伸縮された反射波データを第２のメモリで記憶し、第２のメモリから伸縮された反射波データを伸縮画像作成部で伸縮画像を作成し、伸縮画像作成部からの伸縮画像を表示装置で表示することによって、深度レンジに合わせて画像の横尺度を伸縮するものである。
【実施例１】
【００１０】
図１は、本発明の１実施例の魚群探知装置のブロック図で、ＧＰＳアンテナ８を設けたＧＰＳ受信器９で自船の位置信号と速度信号によって、自船の速度が計算され、この自船の速度信号は第１のメモリ１０で記憶され、又、魚群探知機の制御部１１で送信部１２に発信信号が出力されると、送信部１２から超音波振動子１３に発信信号が出力され、超音波振動子１３から水中に超音波が照射され、水中での超音波の反射波信号が受信部１４で受信され、受信部１４で受信された反射波信号は制御部１１から第１のメモリ１０で記憶され、第１のメモリ１０で記憶された反射波信号は画像作成部１５で画像信号変換され、表示装置１６で図２のＢで示すように表示される。
【００１１】
一方、第１のメモリ１０から読み出された反射波信号によって深度レンジデータ出力部１７で深度レンジデータを作成し、又、第１のメモリ１０から読み出された船速データ付き反射波信号は横尺計算部１８に入力されて、深度に応じた横尺が計算され、この計算値に応じて横尺の伸縮度が横尺伸縮部１９において、表示装置１６で表示される画像の横幅の伸縮度が計算され、第１のメモリ１０から読み出された反射波信号は計算された伸縮度に応じて伸縮され、この伸縮された反射波信号は第２のメモリ２０に入力され、第２のメモリ２０から読み出された伸縮された反射波信号は伸縮画像作成部２１に入力されて画像信号に変換され、表示装置１６で図２のＢで示された画面の水底Ｃは、図２の深度に応じて横尺度が一致され、図３の水底Ｄで示すように、深度と一致した横尺度に伸縮されるので、実際の地形に近い表示になる。
【００１２】
このように構成された本発明の魚群探知装置では、伸縮画像作成部２１で作成された画像は図２のＢで表示され、横尺計算部１８で計算され、横尺伸縮部１９で伸縮された魚群探知機のエコー信号は図３のＤで表示されるので、ユーザーが使用している深度スケールに合わせて横尺度が可変されるため、過去の記録の任意の地点までの距離が理解し易く、又、過去の魚群の反応位置までの距離が分かりやすいために、操船時に役に立ち、海底地形の変化が実際の形状に近い表示になるため、この形状は感覚的に理解し易い。
【産業上の利用可能性】
【００１３】
本発明は、漁業やレジャー等に使用することができる。
【符号の説明】
【００１４】
８              ＧＰＳアンテナ
９              ＧＰＳ受信器
１０            第１のメモリ
１１            制御部
１２            送信部
１３            超音波振動子
１４            受信部
１５            画像作成部
１６            表示装置
１７            深度レンジデータ出力部
１８            横尺計算部
１９            横尺伸縮部
２０            第２のメモリ
２１            伸縮画像作成部
【図１】
2011257208.tif 000003
【図２】
2011257208.tif 000004
【図３】
2011257208.tif 000005
【図４】
2011257208.tif 000006
【図５】
2011257208.tif 000007